(57)【要約】【課題】  データを一時的なデータ蓄積手段から恒久的なデータ蓄積手段へ移行させる手順を効率的にし、それにかかる電力を削減させることができるデータ蓄積装置を提供する。【解決手段】  ネットワーク２を介して伝送されてくるデータを一時的に蓄積する固定磁気ディスク装置１１と、固定磁気ディスク装置１１から転送されてくるデータを恒久的に蓄積する光磁気ディスク１２および光磁気ディスク書き込み装置１３とを備え、固定磁気ディスク装置１１に蓄積したデータを所定のタイミングでもって光磁気ディスク書き込み装置１３から光磁気ディスク１２にまとめて転送するようにした。【選択図】        図１
2006018580.tif 000002
【特許請求の範囲】
【請求項１】
ネットワークを介して伝送されてくるデータを一時的に蓄積する第１のデータ蓄積手段と、前記第１のデータ蓄積手段から転送されてくるデータを恒久的に蓄積する第２のデータ蓄積手段とを備え、前記第１のデータ蓄積手段に蓄積したデータを所定のタイミングでもって前記第２のデータ蓄積手段にまとめて転送することを特徴とするデータ蓄積装置。
【請求項２】
前記第１のデータ蓄積手段は、固定磁気ディスク装置であることを特徴とする請求項１記載のデータ蓄積装置。
【請求項３】
前記第２のデータ蓄積手段は、光磁気ディスクと、その光磁気ディスクにデータの書き込みを行うデータ書込装置とから構成されることを特徴とする請求項１記載のデータ蓄積装置。
【請求項４】
前記第１のデータ蓄積手段から前記第２のデータ蓄積手段へのデータの転送は、前記第２のデータ蓄積手段に転送すべき対象データが一定以上のデータ量に達したときに行うことを特徴とする請求項１記載のデータ蓄積装置。
【請求項５】
前記第１のデータ蓄積手段から前記第２のデータ蓄積手段へのデータの転送は、別に定められた時間に行うことを特徴とする請求項１記載のデータ蓄積装置。
【発明の詳細な説明】
【技術分野】
【０００１】
本発明は、ネットワークに接続されたデータ蓄積装置に関する。
【背景技術】
【０００２】
ネットワークに接続され、ネットワークを介して受信したデータをまず一時的に蓄積し、次いで恒久的に蓄積するようにしたデータ蓄積装置が知られている。
【発明の開示】
【発明が解決しようとする課題】
【０００３】
上記したような従来のデータ蓄積装置においては、一時的なデータ蓄積手段から恒久的なデータ蓄積手段へ移行させる手順の高効率化が望まれている。
そこで、本発明は上記したような点を鑑みてなされたものであり、データを一時的なデータ蓄積手段から恒久的なデータ蓄積手段へ移行させる手順を効率的にし、それにかかる電力を削減させることができるデータ蓄積装置を提供することを目的とする。
【課題を解決するための手段】
【０００４】
上記目的を達成するために、請求項１記載の発明は、ネットワークを介して伝送されてくるデータを一時的に蓄積する第１のデータ蓄積手段と、前記第１のデータ蓄積手段から転送されてくるデータを恒久的に蓄積する第２のデータ蓄積手段とを備え、前記第１のデータ蓄積手段に蓄積したデータを所定のタイミングでもって前記第２のデータ蓄積手段にまとめて転送することを特徴とする。
請求項２記載の発明は、前記第１のデータ蓄積手段は、固定磁気ディスク装置であることを特徴とする。
請求項３に記載の発明は、前記第２のデータ蓄積手段は、光磁気ディスクと、その光磁気ディスクにデータの書き込みを行うデータ書込装置とから構成されることを特徴とする。
請求項４に記載の発明は、前記第１のデータ蓄積手段から前記第２のデータ蓄積手段へのデータの転送は、前記第２のデータ蓄積手段に転送すべき対象データが一定以上のデータ量に達したときに行うことを特徴とする。
請求項５に記載の発明は、前記第１のデータ蓄積手段から前記第２のデータ蓄積手段へのデータの転送は、別に定められた時間に行うことを特徴とする。
【発明の効果】
【０００５】
本発明によれば、一時的にデータを蓄積する第１のデータ蓄積手段と、恒久的にデータを蓄積する第２のデータ蓄積手段を備え、第１のデータ蓄積手段に蓄積したデータを所定のタイミングでもって第２のデータ蓄積手段にまとめて転送するようにしているので、アクセス性と電力消費の有利なデータ蓄積手段を実現することができる。
また、第１のデータ蓄積手段として、固定磁気ディスク装置を用いるのでアクセス性の良いデータ蓄積装置を実現することができる。
また、第２のデータ蓄積手段として、光磁気ディスクとその光磁気ディスクにデータの書き込みを行うデータ書込装置を用いるので保存性の良いデータ蓄積装置を実現することができる。
さらには、第１のデータ蓄積手段のデータをまとめて第２のデータ蓄積手段に転送するので処理時間を短縮できデータ転送に要する電力を削減できる。
【発明を実施するための最良の形態】
【０００６】
以下、図面を参照して、本発明の実施形態を詳細に説明する。
図１は本発明の実施の形態に係るデータ蓄積装置の構成図、図２は図１に示すデータ蓄積装置に記録される機密データの内容を示す図、図３は図１に示すデータ蓄積装置におけるデータ蓄積の第１段階を示す図、図４は図１に示すデータ蓄積装置におけるデータ蓄積の第２段階を示す図である。
本実施の形態に係るデータ蓄積装置１は、ネットワーク２に接続され、その内部にデータ記録媒体として、一時的にデータを蓄積する第１のデータ蓄積手段である固定磁気ディスク装置１１と、恒久的にデータを蓄積する第２のデータ蓄積手段として光磁気ディスク１２及び光磁気ディスク書き込み装置１３とを備えている。
そして、図２に示すように、データ蓄積手段に記録される、例えば機密データにはデータ本体に存在時間と消去または保存の情報がデータ登録者により付加情報として追加されている。機密データを登録するユーザーは、上記のように機密データの特性に応じてデータ本体に存在時間と消去または保存の情報が追加された機密データをネットワーク２を介してデータ蓄積装置１に転送する。
【０００７】
機密データを受信したデータ蓄積装置１は、図３に示すようにまず固定磁気ディスク装置１１にこの機密データを記録し保存する。なお、このときデータの存在時間と消去または保存の情報は、どのデータの情報であることが管理されていれば、データ本体と別の領域で記録することももちろん可能である。そしてこの固定磁気ディスク装置１１に存在する機密データは、パスワードなどのセキュリティ機能を介して外部からネットワーク２を経由して参照可能な状態とされる。
ここで、データ蓄積装置１は、登録されたデータについて付加されている情報を元にこの記録されている機密データを次のように処理をする。付加されている存在時間が経過した機密データはさらに保存か消去の付加情報から処理が分けられ、消去情報を持つ機密データはそこで固定磁気ディスク装置１１上から消去される。また、消去情報ではなく保存情報を持つ機密データは、図４に示すようにデータ蓄積装置１に備えられている光磁気ディスク書き込み装置１３により光磁気ディスク１２に記録され固定磁気ディスク装置１１上から消去される。
ここでこのデータ蓄積装置１には光磁気ディスク１２上のデータをネットワーク２から読み出す機能は存在しない。例えば、光磁気ディスクからデータを読み出すデータ読み出し手段が物理的に存在しない。または光磁気ディスク読み出し手段が存在しても、ネットワーク２からは完全に遮断された独立の装置とされる。
これは、例えば、機密データが設定された存在時間経過後に固定磁気ディスク装置１１から光磁気ディスク１２に移された段階で、ネットワーク２上から物理的に完全に遮断されることを意味する。この光磁気ディスク１２に記録されたデータを参照するにはこのデータ蓄積装置１に実際に訪れなければならない。
一般にこの種のデータ蓄積装置１は厳重に管理された領域に設置されているため、安易に外部の人間が立ち入ることは困難でありセキュリティ上極めて安全である。
【０００８】
ここで、上記のように、例えば機密データが固定磁気ディスク装置１１から光磁気ディスク書き込み装置１３により光磁気ディスク１２に記録され、固定磁気ディスク装置１１上から消去されるタイミングを、そのデータごとではなく、その処理候補となる機密データがある一定の条件を満たした時点とし、そのタイミングにまとめて処理する。この条件としては、処理候補となる機密データの合計データ量や特定時間などが考えられる。
このように固定磁気ディスク装置１１から光磁気ディスク書き込み装置１３により光磁気ディスク１２に記録され、固定磁気ディスク装置１１上から消去される処理を特定条件でまとめて実行すれば、頻繁にディスク装置を駆動させ読み出し、書き込み、消去処理をするより処理時間及びそれに関連して電力を削減できることから、データ蓄積装置１の電力消費を抑えることができる。
【図面の簡単な説明】
【０００９】
【図１】本発明の実施の形態に係るデータ蓄積装置の構成図。
【図２】図１に示すデータ蓄積装置に記録される機密データの内容を示す図。
【図３】図１に示すデータ蓄積装置におけるデータ蓄積の第１段階を示す図。
【図４】図１に示すデータ蓄積装置におけるデータ蓄積の第２段階を示す図。
【符号の説明】
【００１０】
１  データ蓄積装置、２  ネットワーク、１１  固定磁気ディスク装置、１２  光磁気ディスク、１３  光磁気ディスク書き込み装置
【図１】
2006018580.tif 000003
【図２】
2006018580.tif 000004
【図３】
2006018580.tif 000005
【図４】
2006018580.tif 000006